(57)【要約】【課題】新たな手段によって、従来と同等乃至従来以上の効果をもたらすことのできる湿し水用の添加剤を提供する。【解決手段】平版印刷用の湿し水に添加する湿し水用添加剤である。プロピレン系グリコールエーテルとエチレン系グリコールエーテルとの内の少なくとも一方のエーテルと、界面活性剤とを含む。【選択図】なし【特許請求の範囲】
【請求項１】
印刷用の湿し水に添加する湿し水用添加剤であって、
プロピレン系グリコールエーテルとエチレン系グリコールエーテルとの内の少なくとも一方のエーテルと、
界面活性剤と、を含むことを特徴とする湿し水用の添加剤。
【請求項２】
前記プロピレン系グリコールエーテルは、
プロピレングリコールモノメチルエーテル、ジプロピレングリコールモノメチルエーテル、トリプロピレングリコールモノメチルエーテル、プロピレングリコールモノプロピレンエーテル、プロピレングリコールモノブチルエーテル、ジプロピレングリコールモノブチルエーテル、プロピレングリコールモノフェニールエーテルの内の少なくとも一つである請求項１に記載の湿し水用の添加剤。
【請求項３】
前記エチレン系グリコールエーテルは、
エチレングリコールモノメチルエーテル、ジエチレングリコールモノメチルエーテル、ポリエチレングリコールモノメチルエーテル、ジエチレングリコールモノイソプロピルエーテル、エチレングリコールモノブチルエーテル、ジエチレングリコールモノブチルエーテル、エチレングリコールモノイソブチルエーテル、ジエチレングリコールモノイソブチルエーテル、エチレングリコールモノフェニールエーテル、エチレングリコールモノヘキシルエーテル、エチレングリコールモノベンジルエーテル、ジエチレングリコールモノフェニールエーテル、ジエチレングリコールモノヘキシルエーテル、ジエチレングリコールモノベンジルエーテルの内の少なくとも一つである請求項１又は２に記載の湿し水用の添加剤。
【請求項４】
前記界面活性剤は、
エチレンオキサイド付加物とプロピレンオキサイド付加物との内の少なくとも一つである請求項１〜３のいずれか一項に記載の湿し水用の添加剤。
【請求項５】
水溶性の付加剤として、エチレングリコール、プロピレングリコール、グリセリンの内の少なくとも一つを更に含む請求項１〜４のいずれか一項に記載の湿し水用の添加剤。
【請求項６】
印刷用湿し水に、請求項１〜５のいずれか一項に記載の湿し水用添加剤が、添加されていることを特徴とする湿し水混合液。
【発明の詳細な説明】
【技術分野】
【０００１】  本発明は、印刷用の湿し水に添加する湿し水用添加剤及び当該添加剤が添加されている湿し水混合液に関する。
【背景技術】
【０００２】  平版印刷用のＰＳ版やＣＴＰ版と呼ばれる印刷版を使用した一般的なオフセット印刷では、水と油との反発が利用されていて、印刷版は、インキを受容させる画像部と、水を受容させる非画像部とからなっている。このようなオフセット印刷を行う際、湿し水とインキとを適正にバランスさせる必要があり、この適正なバランスのもとに版面に湿し水とインキとを供給することが大切である。すなわち、湿し水を与えすぎるとインキの乳化が激しくなり、転移不良が発生する。一方、湿し水が少なすぎると、非画像部にインキが付着して汚れの原因となる。【０００３】  そこで、従来の印刷版では、インキと湿し水とのバランスを保つために、湿し水に添加剤として、イソプロピルアルコール、Ｔｅｒｔ−ブチルアルコール又はエチルアルコール等が用いられている。さらに、この湿し水には、水溶性樹脂（アラビアガム、アルギン酸ソーダ、ＣＭＣ、ポリビニールアルコール等）、各種界面活性剤、リン酸、硝酸塩等が添加されている。【０００４】  しかし、イソプロピルアルコール、Ｔｅｒｔ−ブチルアルコール又はエチルアルコールは、危険物第４類第１石油類に該当し、これらを扱う際、火気に注意を払う必要がある。また、これらは、有機溶剤予防規則によれば、第２種有機溶剤であり、湿し水中に５〜１０重量％程度の濃度で添加されるため、作業環境浄化の措置を設ける必要がある。【０００５】  このため、イソプロピルアルコール、Ｔｅｒｔ−ブチルアルコール又はエチルアルコールを全く用いないか、用いた場合であっても、水中濃度が５重量％以下であるような湿し水が提案されている。例えば、イソプロピルアルコールの代替化合物を使用した湿し水としては、特許文献１に記載のものがある。【０００６】
【特許文献１】  特開平３−６３１８７号公報
【発明の開示】
【発明が解決しようとする課題】
【０００７】  しかし、湿し水にイソプロピルアルコールが含まれていない従来の技術によれば、特に高速印刷時において、非画像部に汚れが生じたり、網点画像部の絡みが発生したりするなど、十分であるとは言えなかった。【０００８】  そこで本発明は、イソプロピルアルコールやＴｅｒｔ−ブチルアルコールを使用しなくても、新たな手段によって、従来と同等乃至従来以上の効果をもたらすことのできる湿し水用の添加剤及び湿し水混合液を提供することを目的とする。
【課題を解決するための手段】
【０００９】  本発明は、印刷用の湿し水に添加する湿し水用添加剤であって、プロピレン系グリコールエーテルとエチレン系グリコールエーテルとの内の少なくとも一方のエーテルと、界面活性剤と、を含むことを特徴とする。【００１０】  本発明によれば、従来のようにイソプロピルアルコール（以下、ＩＰＡという）、Ｔｅｒｔ−ブチルアルコール又はエチルアルコール等が含まれていないので、危険性、有害性が従来よりも極めて低く、また、印刷適正に優れた高品位な印刷物を得ることが可能となる。従来のＩＰＡ、Ｔｅｒｔ−ブチルアルコール又はエチルアルコールの代替品とすることができる。【００１１】  また、前記プロピレン系グリコールエーテルは、プロピレングリコールモノメチルエーテル、ジプロピレングリコールモノメチルエーテル、トリプロピレングリコールモノメチルエーテル、プロピレングリコールモノプロピレンエーテル、プロピレングリコールモノブチルエーテル、ジプロピレングリコールモノブチルエーテル、プロピレングリコールモノフェニールエーテルの内の少なくとも一つであるのが好ましい。【００１２】  また、前記エチレン系グリコールエーテルは、エチレングリコールモノメチルエーテル、ジエチレングリコールモノメチルエーテル、ポリエチレングリコールモノメチルエーテル、ジエチレングリコールモノイソプロピルエーテル、エチレングリコールモノブチルエーテル、ジエチレングリコールモノブチルエーテル、エチレングリコールモノイソブチルエーテル、ジエチレングリコールモノイソブチルエーテル、エチレングリコールモノフェニールエーテル、エチレングリコールモノヘキシルエーテル、エチレングリコールモノベンジルエーテル、ジエチレングリコールモノフェニールエーテル、ジエチレングリコールモノヘキシルエーテル、ジエチレングリコールモノベンジルエーテルの内の少なくとも一つであるのが好ましい。【００１３】  また、前記界面活性剤は、エチレンオキサイド付加物とプロピレンオキサイド付加物との内の少なくとも一つであるのが好ましい。
この場合、静的表面張力と動的表面張力との差が少なく、良好な印刷結果が得られる。【００１４】  また、水溶性の付加剤として、エチレングリコール、プロピレングリコール、グリセリンの内の少なくとも一つを更に含むのが好ましい。
この場合、前記プロピレン系グリコールエーテル、前記エチレン系グリコールエーテルが水に難溶性であっても、これら水溶性の付加剤を更に含ませることで、適切な湿し水用の添加剤が得られる。【００１５】  そして、本発明の湿し水混合液は、例えば一般的な印刷用湿し水に、前記湿し水用添加剤を、添加することによって得られる。
このようにして得られた湿し水を、印刷に用いることで、従来のようにＩＰＡ、Ｔｅｒｔ−ブチルアルコール又はエチルアルコール等が湿し水に含まれていないので、危険性、有害性が従来よりも極めて低く、また、従来より使用されている湿し水に添加することができ、印刷適正に優れた高品位な印刷物を得ることが可能となる。
【発明の効果】
【００１６】  本発明によれば、危険性、有害性が従来よりも極めて低く、また、印刷適正に優れた高品位な印刷物を得ることが可能となる。
【発明を実施するための最良の形態】
【００１７】  以下、本発明の実施の形態を説明する。
本発明の湿し水用の添加剤は、本発明者の鋭意研究を重ねた結果、見いだされたものであり、ＩＰＡ、Ｔｅｒｔ−ブチルアルコール又はエチルアルコール等の従来の湿し水用の添加剤に替えて使用できるものである。
すなわち、本発明は、従来使用されている平版印刷用の湿し水に、添加することのできる湿し水用添加剤であって、プロピレン系グリコールエーテルとエチレン系グリコールエーテルとの内の少なくとも一方のエーテルと、界面活性剤とが含まれている。
さらに説明すると、本発明は、プロピレン系グリコールエーテルと界面活性剤とが含まれている湿し水用添加剤、エチレン系グリコールエーテルと界面活性剤とが含まれている湿し水用添加剤、プロピレン系グリコールエーテルとエチレン系グリコールエーテルとの双方と、界面活性剤とが含まれている湿し水用添加剤である。
そして、本発明の湿し水用の添加剤及びその添加剤が添加された湿し水混合液には、ＩＰＡ、Ｔｅｒｔ−ブチルアルコール又はエチルアルコールが含まれていない。【００１８】  前記プロピレン系グリコールエーテルは、プロピレングリコールモノメチルエーテル、ジプロピレングリコールモノメチルエーテル、トリプロピレングリコールモノメチルエーテル、プロピレングリコールモノプロピレンエーテル、プロピレングリコールモノブチルエーテル、ジプロピレングリコールモノブチルエーテル、プロピレングリコールモノフェニールエーテルの内から選択される少なくとも一つとすることができる。【００１９】  また、前記エチレン系グリコールエーテルは、エチレングリコールモノメチルエーテル、ジエチレングリコールモノメチルエーテル、ポリエチレングリコールモノメチルエーテル、ジエチレングリコールモノイソプロピルエーテル、エチレングリコールモノブチルエーテル、ジエチレングリコールモノブチルエーテル、エチレングリコールモノイソブチルエーテル、ジエチレングリコールモノイソブチルエーテル、エチレングリコールモノフェニールエーテル、エチレングリコールモノヘキシルエーテル、エチレングリコールモノベンジルエーテル、ジエチレングリコールモノフェニールエーテル、ジエチレングリコールモノヘキシルエーテル、ジエチレングリコールモノベンジルエーテルの内から選択される少なくとも一つとすることができる。【００２０】  また、前記界面活性剤は、エチレンオキサイド付加物とプロピレンオキサイド付加物との内の少なくとも一つである。
このような界面活性剤を用いることで、インキ練りローラ上の水滴の載り、ローラ剥げ等の現象を防止することができ、より一層優れた印刷適正が得られる。【００２１】  さらに、これらの界面活性剤の中でより好ましいものは、ＨＬＢ（Ｈｙｄｒｏｐｈｉｌｅ−Ｌｉｐｏｐｈｉｌｅ  Ｂａｌａｎｃｅ）が７以上でかつ１３以下のものである。ＨＬＢが７未満であると親油性が高くなり、水不溶性となり、湿し水として均一ものを得ることが困難となる。また、ＨＬＢが１３を超えると、表面張力低下能が低下するため、親水性を有する非画像部での濡れが不十分となり好ましくない。
なお、界面活性剤については、前記複数種類を用いることができる。【００２２】  さらに、前記プロピレン系グリコールエーテル、前記エチレン系グリコールエーテルが水に難溶性である場合、例えば、エチレングリコールモノフェニールエーテル、エチレングリコールモノヘキシルエーテル、エチレングリコールモノベンジルエーテル、ジエチレングリコールモノフェニールエーテル、ジエチレングリコールモノヘキシルエーテル等が用いられる場合、本発明の添加剤に、水溶性の付加剤として、エチレングリコール、プロピレングリコール、グリセリンの内の少なくとも一つを更に含むのが好ましい。【００２３】  そして、本発明の湿し水は、例えば一般的な平版印刷用湿し水に、前記湿し水用添加剤を、添加することによって得られる。
このようにして得られた湿し水を、平版印刷用に用いることで、従来のようにイソプロピルアルコール（以下、ＩＰＡという）、Ｔｅｒｔ−ブチルアルコール又はエチルアルコール等が湿し水に含まれていないので、危険性、有害性が従来よりも極めて低く、また、印刷適正に優れた高品位な印刷物を得ることが可能となる。【００２４】  本発明に係る湿し水用の添加剤の具体例としては、
（添加剤Ａ）
プロピレングリコール：１００ｇ
ジエチレングリコールモノブチルエーテル：１８ｇ
エチレングリコールモノフェニールエーテル：４ｇ
界面活性剤（エチレンオキサイド付加物又はプロピレンオキサイド付加物）【００２５】  別の具体例としては、
（添加剤Ｂ）
プロピレングリコール：１００ｇ
ジエチレングリコールモノブチルエーテル：２０ｇ
ジエチレングリコールモノベンジルエーテル：４ｇ
界面活性剤（エチレンオキサイド付加物又はプロピレンオキサイド付加物）【００２６】  さらに別の具体例としては、
（添加剤Ｃ）
プロピレングリコール：１００ｇ
プロピレングリコールモノブチルエーテル：２０ｇ
エチレングリコールモノヘキシルエーテル：６ｇ
界面活性剤（エチレンオキサイド付加物又はプロピレンオキサイド付加物）【００２７】  本発明によれば、従来のようにＩＰＡ、Ｔｅｒｔ−ブチルアルコール又はエチルアルコール等が含まれていないので、危険性、有害性が従来よりも極めて低く、また、印刷適正に優れた高品位な印刷物を得ることが可能となる。【００２８】  また、ＩＰＡ、Ｔｅｒｔ−ブチルアルコール又はエチルアルコールを含んでいないため、労働安全衛生法、ＰＲＴＰ法、毒劇物取締法に適合し、安全性に優れた平板印刷湿し水用の（濃縮）添加剤とすることができる。
従来のＩＰＡ使用時では、印刷後の時間経過に伴って色の艶が落ちる、いわゆるドライダウンが発生するが、本発明によれば、このようなドライダウンの発生を抑制することができる。
また、ＩＰＡ安堵の使用量の約１／３〜１／４の液量で印刷が可能となり、かつ、印刷結果が良好となる。【００２９】  さらに、本発明の添加剤には、必要に応じて次のものを更に添加することができる。ＰＨ緩衝剤、湿油剤、消泡剤、防腐剤、防錆剤、着色剤、キレート剤、親水性高分子樹脂等。【００３０】  従来の添加剤としてＩＰＡを用いた湿し水の場合（従来例）と、本発明の添加剤を用いた湿し水の場合（実施例）との、試験結果を説明する。
なお、本発明の添加剤としては、前記添加剤Ａ、添加剤Ｂ又は添加剤Ｃから得られたものである。【００３１】  印刷機（ＡＢＤＩＣＫ３６０、ＡＢＤＩＣＫ社製：米国）、ＰＳ版（富士フィルム製）を用い、従来例及び実施例の添加剤それぞれを、市販のエッチ液（湿し水）に添加して、印刷を行った。
〔従来例１〕
市販のエッチ液（ネルソンマックス、村上化学研究所製）：１０ｃｃ
ＩＰＡ：２００ｃｃ
水：７９０ｃｃ
（合計１０００ｃｃ）
〔実施例１〕
市販のエッチ液（ＢＵ−２００、村上化学研究所製）：１０ｃｃ
添加剤Ａ（又は添加剤Ｂ又は添加剤Ｃ）：５０ｃｃ
水：９４０ｃｃ
（合計１０００ｃｃ）【００３２】  印刷機（ＡＢＤＩＣＫ３６０、ＡＢＤＩＣＫ社製：米国）、マスターペーパ版（岩崎通信機製）
〔従来例２〕
市販のエッチ液（マスターエッチ液、村上化学研究所製）：５０ｃｃ
ＩＰＡ：２００ｃｃ
水：７５０ｃｃ
（合計１０００ｃｃ）
〔実施例２〕
市販のエッチ液（マスターエッチ液、村上化学研究所製）：５０ｃｃ
添加剤Ａ（又は添加剤Ｂ又は添加剤Ｃ）：７０ｃｃ
水：８８０ｃｃ
（合計１０００ｃｃ）【００３３】  印刷機械（４色機）（桜井機械製）、ＣＴＰ版使用
〔従来例３〕
市販のエッチ液（ＢＵ−２００、村上化学研究所製）：２０ｃｃ
ＩＰＡ：７０ｃｃ
水：９１０ｃｃ
（合計１０００ｃｃ）
〔実施例３〕
市販のエッチ液（ＢＵ−２００、村上化学研究所製）：２０ｃｃ
添加剤Ａ（又は添加剤Ｂ又は添加剤Ｃ）：２０ｃｃ
水：９６０ｃｃ
（合計１０００ｃｃ）【００３４】  以上の実施例１、実施例２、実施例３によれば、それぞれと比較する従来例１、従来例２、従来例３よりも、優れた印刷適正性能を得ることができた。
すなわち、実施例１〜３によれば、優れた印刷適正性能として、従来よりも少ない液量（添加剤）で印刷することができ、また、インキの使用量が少なくて済む。さらに、インキの濃度が上昇する。また、湿し水の循環タンクの水槽が清澄な水を保持することができる。そして、きれいな印刷物を多量部数、得ることができる。